(57)【要約】【課題】本発明の課題は、低中高層建築物窓外面緑化に関し、多種多様な植物種類を用いることが出来、植栽の剪定や養分補給、植栽交換、散水など、植物の保守管理が容易な植栽鉢を用いて、強風時や地震時など植栽鉢の転倒脱落を防止し、軽くて不燃で耐候性や材料強度があり、景観意匠性と建築物に容易に取り付ける事が出来、加工や製作が簡易な壁面緑化に関する安価な金属製植栽鉢置き棚の提供。【解決手段】本発明の解決手段は、軽くて不燃で錆び発生が生じず、耐候性や材料強度があり、景観意匠性と部材同士の接合や加工組立が容易に出来る合金製押し出し型材を用い、鉢は金属板絞り加工とする。又、押し出し型材は水平部材と垂直部材とで成り、組立は上下水平部材と前後及び中間垂直部材とを差込嵌合し、両端部は金属板で水平垂直部材と各々ビス止めする事で、軽くて剛性強度が高い箱型形状鉢置き棚となる。【選択図】      図１
2004329181.tif 000002
【特許請求の範囲】
【請求項１】
金属製の水平板部分長手方向に植栽鉢縁部分より小さい円型の開口を設け、その開口部分に植栽鉢を落とし込んで鉢を支え強風時や地震時の転倒脱落を防止する機能を持った低中高層建築物窓外面鉢置き棚。
【発明の詳細な説明】
【０００１】
【発明の属する技術分野】
本発明は、建築物窓外面に景観意匠性を考え、不燃で耐候性のある材料を用い、製作の簡易化と建築物外壁面取り付けの容易化を計り、軽くて持ち運びが楽で破損しない金属製の植栽鉢を製作採用し、強風時や地震時における鉢の転倒脱落防止をし、多種多様な植物の選択が出来る建築物外壁窓面緑化に関する窓外面鉢置き棚。
【０００２】
【従来の技術】
従来の建築物外壁窓面緑化方法は植栽土壌重量の強度保持や植栽箱の破損脱落を防止するため鉄線入りコンクリート製の植栽箱鉢を建築構築時強固に設け、雨水のコンクリートへの透水を防ぐ為、植栽箱内部防水を施し、重量用運搬用具を用いて植栽土壌を入れ植物を植えている。尚、コンクリート製の換わりに大型陶器製鉢を用いて特殊専用金物で建築物外壁面に固定している例もあるが、何れも、現地現場構築物で重機を用いる工事となり、植物や土壌運搬などで建物部にも汚れが発生する。又、外壁窓面緑化後、植栽の剪定や植物交換、散水など、高所における作業で土壌などの落下危険も生じやすく、植栽の保守管理が大変難しい。
【０００３】
【発明が解決しようとする課題】
本発明の課題は、低中高層建築物窓外面緑化に関し、多種多様な植物種類を用いることが出来、植栽の剪定や養分補給、植栽交換、散水など、植物の保守管理が容易な植栽鉢を用いて、強風時や地震時など植栽鉢の転倒脱落を防止し、軽くて不燃で耐候性や材料強度があり、景観意匠性と建築物に容易に取り付ける事が出来、加工や製作が簡易な壁面緑化に関する安価な金属製植栽鉢置き棚の提供。
【０００４】
【課題を解決するための手段】
かかる課題を解決するため本発明の金属製植栽鉢置き棚は、軽くて不燃で錆び発生が生じず、耐候性や材料強度があり、景観意匠性と部材同士の接合や加工組立が容易に出来る合金製押し出し型材を用いる。たとえば、材料は建築物建材で多く用いられるアルミニュウム合金製やステンレス合金製・チタン合金製・等を用いるが、押し出し型材は大きくなればなるほど金型や押し出し機使用料が高価になるので、本発明は小さい型で押し出し、部材同士を緊結接合し、大型化を図る。鉢は一枚の金属板による絞り加工とし、接合不良の発生を防ぐ。尚、金属棚部分は押し出し型材の水平部材と垂直部材とで成り、組立は上下水平部材と前後及び中間垂直部材とを差込嵌合し、両端部は金属板で水平垂直部材と各々ビス止めする事で、軽くて剛性強度が高い箱型形状鉢置き棚となる。又、鉢は市販の陶器製や樹脂製でも落とし込み開口寸法を合わせれば用いられるが、鉢の意匠や破損落下及び被火災時落下が考えられ、望ましくない。
【０００５】
上部水平部材には予め金属製鉢縁径より小さい円形開口に円形環状ゴムを設け、植物と土壌をいれた金属製鉢を落とし込むことで鉢重心が上部水平部材より下部に行き強風や地震時の揺れに安定する。又、金属製鉢径と円形開口径と円形環状ゴムとの一定関係を決めておけば、鉢と密着拘束し、鉢揺れ転倒もなく、箱型形状鉢置き棚内にも雨水の浸入止めになる。尚、万一、箱型形状置き棚内部への浸入雨水や金属製鉢の余剰水排水対応は、置き棚内部両端底部に水抜き開口を設けておく。
【０００６】
建築物外壁面に取り付けるには、箱型形状鉢置き棚後垂直部材に予め外壁取り付け落とし込み受金物と差込嵌合出来る専用金物を取り付け、外壁部分取り付け金物に落とし差込みするだけで棚が取り付けられる。又、金属製鉢落とし込み開口の上部水平部材棚板に棚支持専用金物を用いる事で、かならずしも箱型形状にしなくても良い。
【０００７】
【発明の実施の形態】
本発明の実施形態に基づいて説明する。図１（Ａ）は箱型形状鉢置き棚建築物断面斜図。（Ｂ）は鉢置き棚支持専用金物取り付け方式建築物断面斜図。図２（Ａ）は箱型形状鉢置き棚組立構成斜図。（Ｂ）は鉢置き棚支持専用金物取り付け方式組立構成斜図。図３は箱型形状鉢置き棚断面詳細図及び正面図。図４は鉢置き棚支持専用金物取り付け方式断面詳細図及び正面図。
【０００８】
図１の（Ａ）は建築物外壁面に箱型形状鉢置き棚を取り付け、植栽金属製鉢５ａ〜ｃを落とし込んだ図であり、（Ｂ）は鉢置き棚支持専用金物取り付け方式に、５ａ〜ｃを落とし込むだけであり、（Ａ）と（Ｂ）の上部円形開口９の水平部材１は共通部材である。（Ａ）の棚取り付けは、外壁面１６取り付け受け金物８と予め取り付けておいた落とし差込金物７を８に落とし差し込むことで箱型形状鉢置き棚の取り付けが出来る。（Ｂ）の取り付けは、外壁面１６に取り付け用埋め込み金物１４を設けて置き、８を１に取り付けたままボルト１３で締め付け固定する。尚、９を先に１３で１４に固定した後、１を載せてボルトナット１５で固定してもよい。
【０００９】
図２（Ａ）は箱型形状鉢置き棚の組立構成斜図で、上部水平部材１同士を緊結接合し、大型化のうえ各種金属鉢寸法に合わせ円形開口９設け、円形環状ゴム６をはめ込む。下部水平部材２同士も緊結接合し底板とする。尚、１及び２は同一部材である。垂直部材３ａ〜ｃは同一部材で、各々、前後中間部材として１及び２の３ａ〜ｃ上下部分と差込嵌合し一体化する。側板４は１及び２と３ａ〜ｃをビス１２止めし、箱型形状鉢置き棚を強固に組立する。７及び８は一対型で、７は３ｃに１２で止め固定し、８は建築物外壁面に埋め込み支持金物１４にボルト１１を用いて固定し、７部分を８に差し落とし込みする事で箱型形状鉢置き棚を支える。箱型形状鉢置き棚を取り付けた後、植物を植えた金属製鉢５ａ〜ｃを１の９に落とし込むことで６と密着し５ａ〜ｃが強風や地震に対して吸収転倒防止を計ると供に箱型形状鉢置き棚内部への雨水浸入も防ぐ。（Ｂ）は１の上部水平部材を用いて鉢置き棚支持専用金物１０を用いて建築物外壁面に取り付ける方式である。尚、５ａ〜ｃの９への落とし込みは箱型形状鉢置き棚と同じであるが、１及び５ａ〜ｃや９も各々デザインや用いる材料も吟味してあるので下からの見上げにも充分耐えられる。
【００１０】
図３は箱型形状鉢置き棚断面詳細図及び正面図で、１及び２の下上面には３ａ〜ｃと差込嵌合や１０と簡単に固定接合できるボルトナット１５との共通溝としてある。５ａ〜ｃは各々、大中小の金属鉢寸法を示し、９や６は５ａ〜ｃ販売に応じて円形開口寸法対応する。尚、３ａ〜ｃ表裏面には各々デザインし販売製品の幅を広げる事も出来る。
【００１１】
図４は鉢置き棚支持専用金物取り付け方式断面詳細図及び正面図で、１は箱型形状鉢置き棚と共通部材で１の先端及び両側端部には化粧用金物１１を設ける。この１１や５ａ〜ｃも見え掛かりとなり、色付けや形態及び表面をデザイン化する事で多様な製品化が計れる。５ａ〜ｃの落とし込み据付は箱型形状鉢置き棚と同じである。
【００１２】
【発明の効果】
以上、説明したように、本発明の低中高層建築物窓外面緑化金属製鉢置き棚に関し、多種多様な植物種類を用いることが出来、軽くて、持ち運びが楽で、植栽の剪定や養分補給、植栽交換、散水など、植物の保守管理が容易な金属製植栽鉢を用い、強風時や地震時など植栽鉢の転倒脱落を防止し、不燃性で錆びの発生が生じず、耐候性や材料強度があり、単純で明快な景観意匠性と新築及び既設建築物壁面に容易に取り付ける事が出来、加工や製作が簡易な壁面緑化に関する安価な金属製植栽鉢置き棚として幅広く用いられる。
【図面の簡単な説明】
【図１】本発明に係る（Ａ）箱型形状鉢置き棚（Ｂ）鉢置き棚支持専用金物取り付け方式建築物断面斜図
【図２】本発明に係る（Ａ）箱型形状鉢置き棚（Ｂ）鉢置き棚支持専用金物取り付け方式組立構成斜図
【図３】本発明に係る箱型形状鉢置き棚断面詳細図及び正面図
【図４】本発明に係る鉢置き棚支持専用金物取り付け方式断面詳細図及び正面図
【符号の説明】
１      上部水平部材
２      下部水平部材
３ａ    前垂直部材
３ｂ    後垂直部材
３ｃ    中間垂直部材
４      側板材
５ａ    金属製鉢大
５ｂ    金属製鉢中
５ｃ    金属製鉢小
６      円形環状ゴム
７      落とし差し込み金物
８      落とし込み受金物
９      鉢落とし込み円形開口
１０    棚支持専用金物
１１    化粧金物
１２    ビス
１３    支持止めボルト
１４    埋め込み金物
１５    ボルトナット
１６    支持壁
【図１】
2004329181.tif 000003
【図２】
2004329181.tif 000004
【図３】
2004329181.tif 000005
【図４】
2004329181.tif 000006